(57)【要約】 【課題】  飲料用カップに蓋を施したままでカップ内飲料を飲用でき、飲用しないときはカップ内を密閉してカップ内飲料が漏れ出すのを防止できる飲料用カップの蓋を提供する。【解決手段】  天板部１と、飲料用カップの開口部に係合する係合部２とからなる蓋本体１０に、前記天板部１の周囲に沿って起立部３を形成し、該起立部３の頂面に飲み口孔４を設けると共に、該飲み口孔４を覆うカバー体２０を前記起立部３に沿ってスライド自在に設け、前記カバー体２０をスライドさせて前記飲み口孔４を開閉可能にしてある。【選択図】    図１
2006137444.tif 000002
【特許請求の範囲】
【請求項１】
天板部と、飲料用カップの開口部に係合する係合部とからなる飲料用カップの蓋であって、前記天板部の周囲に沿って起立部を形成し、該起立部の頂面に飲み口孔を設けると共に、該飲み口孔を覆うカバー体を前記起立部に沿ってスライド自在に設け、前記カバー体をスライドさせて前記飲み口孔を開閉可能にした飲料用カップの蓋。
【請求項２】
前記起立部を前記天板部の周囲の一部に円弧状に形成した請求項１に記載の飲料用カップの蓋。
【請求項３】
前記起立部を前記天板部の周囲に環状に形成した請求項１に記載の飲料用カップの蓋。
【請求項４】
環状に形成した起立部内の天板部の前記飲み口孔に隣接する部分に凹部を形成した請求項３に記載の飲料用カップの蓋。
【請求項５】
前記カバー体の上面又は側面に把持片を設けた請求項１乃至４の何れかに記載の飲料用カップの蓋。
【請求項６】
前記カバー体の上面又は側面に凹凸を形成した請求項１乃至４の何れかに記載の飲料用カップの蓋。
【請求項７】
前記起立部に前記カバー体のスライド方向端部と当接する当接部を設け、前記カバー体の開閉位置を位置決めするようにした請求項１乃至６の何れかに記載の飲料用カップの蓋。
【発明の詳細な説明】
【技術分野】
【０００１】
本発明は、例えばファーストフード店等のテイクアウト用に使用される飲料用カップに用いて好適な蓋に関する。
【背景技術】
【０００２】
ファーストフード店等でテイクアウト用の飲料用カップに使用する蓋があり、飲料用カップに蓋を施したままでカップ内飲料を飲用できるよう蓋の天板部の周囲に環状の起立部を有し、この起立部の頂面の一部に飲み口用孔を形成した飲料用カップの蓋が知られている（例えば特許文献１，２参照）。
さらに、飲み口用開口を有する飲料用カップの蓋の該飲み口の衛生性を保持するため、蓋の表面に剥離可能なフィルム状の剥離層を被覆した飲料用カップの蓋も知られている（例えば特許文献３参照）。
【特許文献１】実開昭６３−１９２２６５号公報
【特許文献２】登録実用新案第３０３０２７２号公報
【特許文献３】実開平６−５５４７２号公報
【発明の開示】
【発明が解決しようとする課題】
【０００３】
しかし、特許文献１，２に記載の飲料用カップの蓋は、飲料用カップに蓋を施した状態でも常に飲み口用孔が開口しているために、飲料用カップを持ち運んでいるときなどに不用意にカップを傾けたり倒したりするとカップ内の飲料が飲み口用孔から漏れ出すという課題があった。
また、特許文献３に記載の飲料用カップの蓋は、フイルム状の剥離層を蓋の表面から剥がすまではカップ内が密閉されて飲料が漏れ出すことはないが、一度剥離層を剥がすと飲み口用孔が開口したままの状態になるために、飲料を飲み終わるまでに不用意にカップを傾けたり倒したりするとカップ内の飲料が飲み口用孔から漏れ出すという課題が残っていた。
【０００４】
そこで、本発明は、飲料用カップに蓋を施したままでカップ内飲料を飲用でき、飲用しないときはカップ内を密閉してカップ内飲料が漏れ出すのを防止できる飲料用カップの蓋を提供するものである。
【課題を解決するための手段】
【０００５】
本発明は、上記課題を解決するために、天板部と、飲料用カップの開口部に係合する係合部とからなる飲料用カップの蓋であって、前記天板部の周囲に沿って起立部を形成し、該起立部の頂面に飲み口孔を設けると共に、該飲み口孔を覆うカバー体を前記起立部に沿ってスライド自在に設け、前記カバー体をスライドさせて前記飲み口孔を開閉可能にした飲料用カップの蓋を提供するものである。
【０００６】
また、本発明は、前記起立部を前記天板部の周囲の一部に円弧状に形成した請求項１に記載の飲料用カップの蓋を提供するものである。
【０００７】
また、本発明は、前記起立部を前記天板部の周囲に環状に形成した請求項１に記載の飲料用カップの蓋を提供するものである。
【０００８】
また、本発明は、環状に形成した起立部内の天板部の前記飲み口孔に隣接する部分に凹部を形成した請求項３に記載の飲料用カップの蓋を提供するものである。
【０００９】
また、本発明は、前記カバー体の上面又は側面に把持片を設けた請求項１乃至４の何れかに記載の飲料用カップの蓋を提供するものである。
【００１０】
また、本発明は、前記カバー体の上面又は側面に凹凸を形成した請求項１乃至４の何れかに記載の飲料用カップの蓋を提供するものである。
【００１１】
また、本発明は、前記起立部に前記カバー体のスライド方向端部と当接する当接部を設け、前記カバー体の開閉位置を位置決めするようにした請求項１乃至６の何れかに記載の飲料用カップの蓋を提供するものである。
【発明の効果】
【００１２】
本発明に係る飲料用カップの蓋によれば、天板部と、飲料用カップの開口部に係合する係合部とからなる飲料用カップの蓋であって、前記天板部の周囲に沿って起立部を形成し、該起立部の頂面に飲み口孔を設けると共に、該飲み口孔を覆うカバー体を前記起立部に沿ってスライド自在に設け、前記カバー体をスライドさせて前記飲み口孔を開閉可能にした構成を有することにより、例えばテイクアウト用の飲料用カップに使用した場合でもカバー体をスライドさせて飲み口孔を閉口することによってカップ内を密閉して飲料が漏れ出すのを阻止することができる。一方、カップ内の飲料を飲用するときには、カバー体を片手で容易にスライドさせて飲み口孔を開口するという簡単な操作によって、飲料用カップに蓋を施したままでカップ内の飲料を飲用することができる効果がある。
【００１３】
また、本発明は、前記起立部を前記天板部の周囲の一部に円弧状に形成した請求項１に記載の構成を有することにより、飲み口孔が天板部より突出しているから、ストロー等を使用することなく唇で起立部を咥えて容易に飲料を飲用することができる効果がある。
【００１４】
また、本発明は、前記起立部を前記天板部の周囲に環状に形成した請求項１に記載の構成を有することにより、飲み口孔が天板部より突出しているから、ストロー等を使用することなく唇で起立部を咥えて容易に飲料を飲用することができる効果がある。
【００１５】
また、本発明は、環状に形成した起立部内の天板部の前記飲み口孔に隣接する部分に凹部を形成した請求項３に記載の構成を有することにより、上唇が凹部に没入して天板部に圧接しないから、飲用者に不快感を与えることもなく、唇で起立部を確実に咥えて飲料を飲用することができる効果がある。
【００１６】
また、本発明は、前記カバー体の上面又は側面に把持片を設けた請求項１乃至４の何れかに記載の構成を有することにより、把持片を把持してカバー体を片手で容易にスライドさせることができ、飲み口孔を簡単に開閉操作することができる効果がある。
【００１７】
また、本発明は、前記カバー体の上面又は側面に凹凸を形成した請求項１乃至４の何れかに記載の構成を有することにより、カバー体の凹凸部分を把持してスライドさせることによって、滑り難く簡単に飲み口孔を開閉操作することができる効果がある。
【００１８】
また、本発明は、前記起立部に前記カバー体のスライド方向端部と当接する当接部を設け、前記カバー体の開閉位置を位置決めするようにした請求項１乃至６の何れかに記載の構成を有することにより、カバー体を片手で容易にスライドさせるという簡単な操作によって、飲み口孔が開口する位置又は閉口する位置にカバー体を確実に位置決めすることができる効果がある。
【発明を実施するための最良の形態】
【００１９】
本発明の実施の形態を図示する実施例に基づいて説明する。
本発明に係る飲料用カップの蓋は、合成樹脂フィルム又は合成樹脂板の成形品であり、紙又は合成樹脂製の飲料用カップの開口部に被せて使用するものである。
【実施例１】
【００２０】
図１乃至図６に示す実施例において、１０は蓋本体であり、合成樹脂シートを絞り成形加工して、飲料用カップの開口を塞ぐ天板部１と、飲料用カップの開口部に係合する係合部２とから構成してある。また、係合部２は、図５に示すように、蓋本体１０のスカート状の外周部１１と、この外周部１１の上端部に形成した係合凹部１２とからなり、蓋本体１０を飲料用カップの開口部に被せると、係合凹部１２がカップの開口部フランジに係合し、外周部１１の弾性力により係合部２とカップの開口部との密着を維持するようにしてある。
【００２１】
天板部１の上面には、周囲に沿って起立部３を形成し、該起立部３の頂面に長円形状の飲み口孔４を設けると共に、該飲み口孔４を覆うカバー体２０を起立部３に沿ってスライド自在に設け、カバー体２０をスライドさせて飲み口孔４を開閉可能に構成してある。
図示の実施例において、起立部３は、天板部１の周囲に環状に形成してあると共に、この起立部３内の天板部１には、飲み口孔４に隣接する部分に凹部６を形成し、飲み口孔４の周囲の起立部３は口当て部５を成してある。従って、唇で口当て部５を咥えてカップ内の飲料を飲むときに、上唇が天板部１に圧接することがなく快適に飲用できる。
【００２２】
なお、起立部３の形状は図示の実施例に限定されず、天板部１に対して口当て部５を成す部分の起立部３の頂面を高く形成することにより凹部６を設けない構成にすることもできる他、起立部を天板部１の周囲の一部に円弧状に形成して該起立部の頂面に飲み口孔４を設けることも可能である。
【００２３】
図５及び図６に示すように、口当て部５及びこれに隣接する部分の起立部３の両側面にはガイド溝７，７を形成してあり、カバー体２０を起立部３に沿ってガイドしてスライドすることができるようにしてある。また、図示の実施例において、カバー体２０がスライドする範囲内の起立部３の頂面は、隣り合う起立部３の頂面よりも低く形成してあり、カバー体２０のスライド方向端部２０ａ，２０ｂと当接してカバー体２０の開閉位置を位置決めする当接部８ａ，８ｂを設けてある。
【００２４】
カバー体２０は、合成樹脂の一体成形品からなり、口当て部５を覆うことができるように形成してある。カバー体２０の両側面内側にはガイド突起２１，２１を設けてあり、蓋本体１０のガイド溝７，７と係合して起立部３に沿ってスライドすることができるように構成してある。
図１及び図２に示すように、カバー体２０を端部２０ｂが当接部８ｂに当接する開口位置までスライドさせると飲み口孔４が開口し、唇で口当て部５を咥えてカップ内の飲料を飲用することができる。一方、図３に示すように、カバー体２０を端部２０ａが当接部８ａに当接する閉口位置までスライドさせると飲み口孔４が閉口し、カップ内を密閉して飲料が漏れ出すのを防ぐことができる。
【実施例２】
【００２５】
図７及び図８に示す実施例において、カバー体２０の上面には、梯子状に凹凸を形成して滑り止め部２２を設けてある。また、滑り止め部２２は、カバー体２０の上面に限られず、カバー体２０の側面に設けることができる他、カバー体２０の上面及び側面に設けることもできる。また、滑り止め部２２は、凹凸を格子状に形成したり、梨地状に形成したりすることも可能である。
【実施例３】
【００２６】
図９に示す実施例において、カバー体２０の上面には、舌状の把持片２３を突設してあり、この把持片２３を把持してカバー体２０を起立部３に沿ってスライドさせることができるようにしてある。また、図１０に示すように、カバー体２０の側面に把持片２４を設けた構成にすることも可能である。
【図面の簡単な説明】
【００２７】
【図１】本発明飲料用カップの蓋の一実施例を示す斜視図。
【図２】その一実施例の一態様を示す平面図。
【図３】その一実施例の他の態様を示す平面図。
【図４】その一実施例を示す正面図。
【図５】その一実施例を示すＡ−Ａ線断面図。
【図６】その一実施例の要部を示す斜視図。
【図７】本発明飲料用カップの蓋のカバー体の他の実施例を示す斜視図。
【図８】カバー体の他の実施例を示すＢ−Ｂ線断面図。
【図９】カバー体のさらに別の実施例を示す斜視図。
【図１０】カバー体のさらに別の実施例を示す斜視図。
【符号の説明】
【００２８】
１  天板部
２  係合部
３  起立部
４  飲み口孔
５  口当て部
６  凹部
７  ガイド溝
８ａ，８ｂ  当接部
１０  蓋本体
１１  外周部
１２  係合凹部
２０  カバー体
２０ａ，２０ｂ  端部
２１  ガイド突起
２２  滑り止め部
２３，２４  把持片
【図１】
2006137444.tif 000003
【図２】
2006137444.tif 000004
【図３】
2006137444.tif 000005
【図４】
2006137444.tif 000006
【図５】
2006137444.tif 000007
【図６】
2006137444.tif 000008
【図７】
2006137444.tif 000009
【図８】
2006137444.tif 000010
【図９】
2006137444.tif 000011
【図１０】
2006137444.tif 000012